(57)【要約】【課題】通信機によるドアの施錠／解錠及び原動機始動を行う機能を備えた車輌にて、予備の通信機を車輌内に置いておくことを可能とする車載無線通信装置を提供する。【解決手段】車載無線通信装置１０は、可搬型のメインキー５ａ及び予備キー５ｂとの間で無線信号の送受信を行う無線通信部１３と、無線通信部１３が送受信した無線信号に応じて、メインキー５ａ及び予備キー５ｂそれぞれが車輌１外及び車輌１内に存在するか否かを検知する制御部１１と、ドアの施錠に係る操作を受け付ける施錠スイッチ１５とを備える。また、車載無線通信装置１０は、施錠指示受信部１５がドアの施錠指示に係る信号を受信し、かつ制御部１１がメインキー５ａが車輌１外に存在し、予備キー５ｂが車輌１内に存在すると検知した場合、車輌１内に存在すると検知された予備キー５ｂの一部の機能を無効化する無効化部２０を備える。【選択図】図１
2015101914.tif 000002
【特許請求の範囲】
【請求項１】
複数の可搬型の通信機との間で無線信号の送受信を行う無線通信手段と、該無線通信手段が送受信した無線信号に応じて、前記通信機が車輌外及び車輌内に存在するか否かを検知する検知手段と、ドアの施錠の指示に係る信号を受信する施錠指示受信手段とを備える車載無線通信装置において、
前記施錠指示受信手段がドアの施錠の指示に係る信号を受信し、かつ前記検知手段が前記通信機が車輌外及び車輌内に存在すると検知した場合、車輌内に存在すると検知された通信機の一部の機能を無効化する無効化手段を備えることを特徴とする車載無線通信装置。
【請求項２】
原動機始動の指示に係る信号を受信する始動指示受信手段と、
該始動指示受信手段が原動機始動の指示に係る信号を受信した場合、前記無効化手段により無効化された通信機の前記一部の機能を有効化する有効化手段と
を備えることを特徴とする請求項１に記載の車載無線通信装置。
【請求項３】
ドアの解錠の指示に係る信号を受信する解錠指示受信手段と、
該解錠指示受信手段がドアの解錠の指示に係る信号を受信した場合、前記無効化手段により無効化された通信機の前記一部の機能を有効化する有効化手段と
を備えることを特徴とする請求項１に記載の車載無線通信装置。
【請求項４】
前記施錠指示受信手段が受信した信号が所定信号であるか否かを判定する判定手段を備え、
前記無効化手段は、前記判定手段が前記施錠指示受信手段が受信した信号が所定信号である場合、車輌内に存在すると検知された通信機の一部の機能を無効化することを特徴とする請求項１に記載の車載無線通信装置。
【請求項５】
複数の可搬型の通信機との間で無線信号の送受信を行う無線通信手段と、該無線通信手段が送受信した無線信号に応じて、前記通信機が車輌外及び車輌内に存在するか否かを検知する検知手段と、ドアの施錠の指示に係る信号を受信する施錠指示受信手段とを備える車載無線通信装置において、
前記施錠指示受信手段がドアの施錠の指示に係る信号を受信し、かつ前記検知手段が前記通信機が車輌外及び車輌内に存在すると検知した場合、車輌内に存在すると検知された通信機からの無線信号の受信を無効化する無効化手段を備えることを特徴とする車載無線通信装置。
【請求項６】
原動機始動の指示に係る信号を受信する始動指示受信手段と、
該始動指示受信手段が原動機始動の指示に係る信号を受信した場合、前記無効化手段により無効化された通信機からの無線信号の受信を有効化する有効化手段と
を備えることを特徴とする請求項５に記載の車載無線通信装置。
【請求項７】
ドアの解錠の指示に係る信号を受信する解錠指示受信手段と、
該解錠指示受信手段がドアの解錠の指示に係る信号を受信した場合、前記無効化手段により無効化された通信機からの無線信号の受信を有効化する有効化手段と
を備えることを特徴とする請求項５に記載の車載無線通信装置。
【請求項８】
前記施錠指示受信手段が受信した信号が所定信号であるか否かを判定する判定手段を備え、
前記無効化手段は、前記判定手段が前記施錠指示受信手段が受信した信号が所定信号であると判定した場合、車輌内に存在すると検知された通信機からの無線信号の受信を無効化することを特徴とする請求項５に記載の車載無線通信装置。 
【発明の詳細な説明】
【技術分野】
【０００１】
本発明は、可搬型の通信機によるドアの施錠／解錠及び原動機始動等を行うことができる車輌に用いられる車載無線通信装置に関する。
【背景技術】
【０００２】
従来、可搬型の通信機をユーザが携帯し、車輌の特定箇所に対するユーザの接触操作に応じて、車輌のドアの施錠／解錠を自動的に行うシステム、いわゆるスマートエントリシステムが普及している。このシステムは、従来の機械キーを用いたドアの施錠／解錠と比較して、ユーザが鞄又はポケット等から通信機を取り出すことなくドアの施錠／解錠を行うことができるため、利便性が高い。また、このシステムでは、通信機を携帯したユーザが、車内の運転席近傍等に配された始動スイッチを操作することにより、機械キーによる操作を行うことなく、車輌の原動機を始動させることも可能である。
【０００３】
一方で、ユーザが車輌から離れる際に通信機を忘れた場合に対応するため、車輌内に通信機を検出した場合、ドア施錠手段による施錠を禁止する車輌用ドア施錠システムが開発されている（例えば、特許文献１参照。）。
【先行技術文献】
【特許文献】
【０００４】
【特許文献１】特開２０１０−１３８５４３号公報
【発明の概要】
【発明が解決しようとする課題】
【０００５】
通信機を用いてドアの施錠／解錠を行う車輌では、利便性を一層向上させるために、通信機を２つ利用し、１つの通信機を鞄に入れて携帯し、１つの通信機を常に車輌内のすぐに取り出せる場所に置いておきたい要望がある。また、通信機を紛失した場合に備え、予備の通信機を車輌内に隠しておきたい、又は同乗者に預けたい要望がある。しかしながら、特許文献１に記載の車輌用ドア施錠システムにおいて、車輌内に通信機を検知した場合ドアの施錠を禁止するため、１つの通信機を常に車輌内に置いておく、又は予備の通信機を車輌内に隠しておくことができない。また、同乗者に予備の通信機を預けている場合、同乗者が降車しなければ、ドアを施錠することができない。
【０００６】
本発明は、斯かる事情に鑑みてなされたものであって、その目的とするところは、通信機によるドアの施錠／解錠及び原動機始動を行う機能を備えた車輌にて、防犯性を確保しつつ、予備の通信機を車輌内に置いておくことを可能とする車載無線通信装置を提供することにある。
【課題を解決するための手段】
【０００７】
本発明に係る車載無線通信装置は、複数の可搬型の通信機との間で無線信号の送受信を行う無線通信手段と、該無線通信手段が送受信した無線信号に応じて、前記通信機が車輌外及び車輌内に存在するか否かを検知する検知手段と、ドアの施錠の指示に係る信号を受信する施錠指示受信手段とを備える車載無線通信装置において、前記施錠指示受信手段がドアの施錠の指示に係る信号を受信し、かつ前記検知手段が前記通信機が車輌外及び車輌内に存在すると検知した場合、車輌内に存在すると検知された通信機の一部の機能を無効化する無効化手段を備えることを特徴とする。
【０００８】
本発明に係る車載無線通信装置は、原動機始動の指示に係る信号を受信する始動指示受信手段と、該始動指示受信手段が原動機始動の指示に係る信号を受信した場合、前記無効化手段により無効化された通信機の前記一部の機能を有効化する有効化手段とを備えることを特徴とする。
【０００９】
本発明に係る車載無線通信装置は、ドアの解錠の指示に係る信号を受信する解錠指示受信手段と、該解錠指示受信手段がドアの解錠の指示に係る信号を受信した場合、前記無効化手段により無効化された通信機の前記一部の機能を有効化する有効化手段とを備えることを特徴とする請求項１に記載の車載無線通信装置。
【００１０】
本発明に係る車載無線通信装置は、前記施錠指示受信手段が受信した信号が所定信号であるか否かを判定する判定手段を備え、前記無効化手段は、前記判定手段が前記施錠指示受信手段が受信した信号が所定信号である場合、車輌内に存在すると検知された通信機の一部の機能を無効化することを特徴とする。
【００１１】
本発明に係る車載無線通信装置は、複数の可搬型の通信機との間で無線信号の送受信を行う無線通信手段と、該無線通信手段が送受信した無線信号に応じて、前記通信機が車輌外及び車輌内に存在するか否かを検知する検知手段と、ドアの施錠の指示に係る信号を受信する施錠指示受信手段とを備える車載無線通信装置において、前記施錠指示受信手段がドアの施錠の指示に係る信号を受信し、かつ前記検知手段が前記通信機が車輌外及び車輌内に存在すると検知した場合、車輌内に存在すると検知された通信機からの無線信号の受信を無効化する無効化手段を備えることを特徴とする車載無線通信装置。
【００１２】
本発明に係る車載無線通信装置は、原動機始動の指示に係る信号を受信する始動指示受信手段と、該始動指示受信手段が原動機始動の指示に係る信号を受信した場合、前記無効化手段により無効化された通信機からの無線信号の受信を有効化する有効化手段とを備えることを特徴とする。
【００１３】
本発明に係る車載無線通信装置は、ドアの解錠の指示に係る信号を受信する解錠指示受信手段と、該解錠指示受信手段がドアの解錠の指示に係る信号を受信した場合、前記無効化手段により無効化された通信機からの無線信号の受信を有効化する有効化手段とを備えることを特徴とする。
【００１４】
本発明に係る車載無線通信装置は、前記施錠指示受信手段が受信した信号が所定信号であるか否かを判定する判定手段を備え、前記無効化手段は、前記判定手段が前記施錠指示受信手段が受信した信号が所定信号であると判定した場合、車輌内に存在すると検知された通信機からの無線信号の受信を無効化することを特徴とする。
【００１５】
本発明においては、車載無線通信装置は、施錠指示受信手段がドアの施錠の指示に係る信号を受信し、かつ前記検知手段が前記通信機が車輌外及び車輌内に存在すると検知した場合、車輌内に存在すると検知された通信機の一部の機能を無効化する。これにより、無効化された通信機では、車輌は動作しない。
【００１６】
本発明においては、車載無線通信装置は、施錠指示受信手段がドアの施錠の指示に係る信号を受信し、かつ前記検知手段が前記通信機が車輌外及び車輌内に存在すると検知した場合、車輌内に存在すると検知された通信機からの信号の受信を無効化する。これにより、無効化された通信機では、車輌は動作しない。
【００１７】
本発明においては、車載無線通信装置は、原動機始動に係る操作を受け付けた場合、通信機の無効化された一部の機能、又は無効化された通信機からの信号の受信を有効化する。これにより、無効化された通信機は、原動機を始動する際に、無効化された機能が回復され、通常状態で動作することができる。
【００１８】
本発明においては、車載無線通信装置は、ドアの解錠に係る操作を受け付けた場合、通信機の無効化された一部の機能、又は無効化された通信機からの信号の受信を有効化する。これにより、無効化された通信機は、ドアを解錠する際に、無効化された機能が回復され、通常状態で動作させることができる。
【００１９】
本発明においては、車載無線通信装置は、車輌の原動機が停止しておらず、かつ所定操作を受け付けた場合、車輌内に存在する通信機の一部の機能、又は車輌内に存在する通信機からの信号の受信を無効化する。これにより、原動機が始動している場合でも、無効化された通信機では、車輌は動作しない。
【発明の効果】
【００２０】
本発明によれば、車載無線通信装置は、施錠指示受信手段がドアの施錠の指示に係る信号を受信し、かつ前記検知手段が前記通信機が車輌外及び車輌内に存在すると検知した場合、車輌内に存在する通信機の一部の機能を一時的に停止することにより、２つの通信機を利用する場合でも、通信機の紛失対策として予備の通信機を車輌内に隠しておく、又は同乗者に預けている場合でも、ドアの施錠を行うことができるため、使用の利便性を向上させることができる。
【００２１】
また、車輌のドアを施錠した後、無効化された通信機では、車輌は動作しない。従って、仮に不審者が車輌内に侵入したとしても、不審者は車輌内に置いておく予備の通信機を使って原動機を始動することができない。これにより、防犯性の低減を防止することができる。
【図面の簡単な説明】
【００２２】
【図１】本発明に係る車載無線通信装置の構成を示すブロック図である。
【図２】無線キーの構成を示すブロック図である。
【図３】メインキーを利用したドアの施錠時の無効化に係る制御処理の手順を示すフローチャートである。
【図４】メインキーを利用したドアの解錠時の有効化に係る制御処理の手順を示すフローチャートである。
【図５】メインキーを利用したエンジン始動時の有効化に係る制御処理の手順を示すフローチャートである。
【発明を実施するための形態】
【００２３】
以下、本発明をその実施の形態を示す図面に基づき具体的に説明する。図１は、本発明に係る車載無線通信装置の構成を示すブロック図である。図において破線で示す１は車輌であり、車輌１には、ユーザが所持する可搬型の無線キー５との間で無線通信を行って、車輌１のドアの施錠／解錠及び原動機としてのエンジンの始動等の指示を行う車載無線通信装置１０が搭載されている。また、車載無線通信装置１０は、車輌１内に存在する無線キー５の一部の機能を無効化／有効化する機能を備えている。なお、本実施の形態では、無線キー５はメインキー５ａ及び予備キー５ｂを含む。
【００２４】
車載無線通信装置１０には、車輌１のイグニッションスイッチ（ＩＧスイッチ）３１からのオン／オフを示す信号と、車輌１の各ドアに設けられた施錠／解錠のための操作部３２から施錠状態を示す信号とが入力されており、これらの信号に基づいてドアの施錠／解錠、エンジン始動の指示及び車輌内に存在する無線キー５の無効化／有効化等の処理を行っている。ＩＧスイッチ３１は、２値信号を出力するものであり、車輌１のエンジン動作中にはオン状態を示す信号を出力し、車輌１のエンジン停止中にはオフ状態を示す信号を出力する。操作部３２は、車輌１の各ドアの内側に設けられ、無線キー５の所持／非所持に関わらずユーザがドアの施錠／解錠を行うための車輌内の操作部であり、各ドアの施錠／解錠状態を示す２値信号をそれぞれ出力する。
【００２５】
車載無線通信装置１０は、制御部１１、記憶部１２、無線通信部１３、ドア状態信号受信部１４、施錠指示受信部１５、解錠指示受信部１６、始動指示受信部１８、無効化部２０、及び有効化部２１等を備える。制御部１１は、具体的にはＣＰＵ（Central Processing Unit）又はＭＰＵ（Micro Processing Unit）等の演算処理装置で構成されるものであり、予め記憶部１２に記憶されたプログラム及びデータを読み出して実行することにより、車載無線通信装置１０内の各部の動作の制御処理及び各種の演算処理等を行う。また、制御部１１は、施錠／解錠制御部１７、エンジン始動制御部１９、及び警報部２２等と接続され、施錠／解錠制御部１７、エンジン始動制御部１９、及び警報部２２等へ制御信号を送信する。
【００２６】
記憶部１２は、制御部１１の動作に必要なプログラム及びデータ等が予め記憶されているとともに、制御部１１の処理に伴って生じたデータを記憶する。記憶部１２は、ＥＥＰＲＯＭ（Electrically Erasable Programmable Read Only Memory）又はフラッシュメモリ等のデータ書き換え可能な不揮発性のメモリ素子で構成してもよく、マスクＲＯＭ又はＥＰＲＯＭ（Erasable Programmable Read Only Memory）等の（電気的に）データ書き換え不可能な不揮発性のメモリ素子とＳＲＡＭ（Static Random Access Memory）又はＤＲＡＭ（Dynamic Random Access Memory）等の揮発性のメモリ素子とを個別に備える構成としてもよい。記憶部１２には、無線キー５との間で行う認証処理に必要な認証情報例えば無線キー５のＩＤが記憶されている。また、記憶部１２に、無線キー５が後述する無効化部２０により無効化されたことに係る無効化情報が記憶される。
【００２７】
無線通信部１３は、無線キー５との無線通信を行うものである。図示しないが、車輌１には車内用アンテナと車外用アンテナとがそれぞれに設けてある。無線通信部１３は、制御部１１の制御に基づいて、車内用アンテナ又は車外用アンテナを介して無線信号の送信を行うとともに、送信した無線信号に対する応答として無線キー５から送信される無線信号を車内用アンテナ又は車外用アンテナにて受信し、受信した無線信号に含まれるデータを制御部１１へ与える。制御部１１は、いずれのアンテナにて無線キー５からの無線信号を受信したかにより、無線キー５が車輌１内に存在するか車輌１外に存在するかを検知することができる。無線通信部１３から無線キー５への無線送信と、無線キー５から無線通信部１３への無線送信とは、異なる周波数帯を利用するものであってよい。
【００２８】
また、無線通信部１３及び無線キー５の間で送受信される無線信号には、暗号化されたＩＤ等の識別情報及び暗号解読のための情報等が含まれている。制御部１１は、無線通信部１３との無線通信により得られた無線キー５のＩＤが、記憶部１２に予め記憶されたＩＤと一致するか否かを判定する認証処理を行い、認証処理に成功した場合に、ドアの施錠／解錠及びエンジン始動等の制御処理を行う。
【００２９】
ドア状態信号受信部１４は、車輌１が有する複数のドアにそれぞれ設けられたセンサ又はスイッチ等（図示は省略する）の出力信号が入力されており、各ドアが開状態であるか又は閉状態であるかをそれぞれに検知し、検知結果を制御部１１へ与える。
【００３０】
施錠指示受信部１５及び解錠指示受信部１６は、ドアの施錠及び解錠を指示するための施錠スイッチ及び解錠スイッチ（図示しない）とそれぞれに接続されている。施錠スイッチ及び解錠スイッチは、例えば、車輌１の外側のドアノブに設けられている。施錠スイッチに対する操作がなされた場合、施錠指示受信部１５は施錠スイッチからのドアの施錠指示に係る信号を受信する。解錠スイッチに対して操作がなされた場合、解錠指示受信部１６は、解錠スイッチからのドアの解錠指示に係る信号を受信する。
【００３１】
車載無線通信装置１０は、施錠指示受信部１５又は解錠指示受信部１６が信号を受信した場合、無線キー５との通信を行うようにしてある。車載無線通信装置１０及び無線キー５の間の通信が成立し、認証に成功した場合、制御部１１は施錠／解錠制御部１７に施錠／解錠制御の実行を指示する制御信号を送信する。施錠／解錠制御部１７は、制御部１１からの指示に応じて、車輌１の各ドアの施錠／解錠の制御を行う。車輌１の各ドアには、施錠／解錠に係る機械機構及びこれを動作させるアクチュエータ等を有する施錠機構（図示は省略する）がそれぞれに設けられており、施錠／解錠制御部１７は各施錠機構に対する施錠／解錠を指示する制御信号を個別に出力する。
【００３２】
始動指示受信部１８は、エンジンの始動を指示するための始動スイッチ（図示しない）と接続されている。始動スイッチは、例えば、車輌１のインストルメントパネルに設けられている。始動スイッチに対する操作がなされた場合、始動指示受信部１８は、始動スイッチからのエンジンの始動指示に係る信号を受信する。車載無線通信装置１０は、始動指示受信部１８が信号を受信した場合、無線キー５との通信を行うようにしてある。車載無線通信装置１０及び無線キー５の間の通信が成立し、認証に成功した場合、制御部１１はエンジン始動制御部１９にエンジンの始動制御の実行を指示する制御信号を送信する。エンジン始動制御部１９は、制御部１１からの指示に応じて、車輌１に搭載されたエンジンの制御装置（図示は省略する）へ、エンジン始動の指示を与える。ここで、エンジン始動用の認証は、認証レベルがドアの施錠／解錠用の認証レベルより高い。エンジン始動用の認証は、例えば、いわゆるイモビライザ認証である。
【００３３】
無効化部２０は、制御部１１の制御に応じて無効化処理を実行する。例えば、無効化部２０は無線通信部１３により車輌１内に存在する無線キー５へスリープ命令を含む無線信号を送信して、無線キー５をスリープ状態に移行させることにより、当該無線キー５の一部の機能を無効化することができる。また、無効化部２０は、無線通信部１３により受信された車輌１内に存在する無線キー５のＩＤに基づいて、当該無線キー５の応答信号を拒否することにより、無線キー５からの無線信号の受信を無効化するようにしてもよい。ここで、無線キー５の一部の機能は、例えば認証に係る機能、又はドアの施錠／解錠及びエンジン始動に係る機能である。
【００３４】
有効化部２１は、制御部１１の制御に応じて有効化処理を実行する。例えば、有効化部２１は無線通信部１３により車輌１内に存在する無線キー５へスリープ解除命令を含む無線信号を送信して、無線キー５をスリープ状態から通常状態に移行させることにより、無線キー５の無効化部２０により無効化された機能を回復させて、当該無線キー５を有効化することができる。また、有効化部２１は、無線通信部１３により受信された車輌１内に存在する無線キー５のＩＤに基づいて、当該無線キー５の応答信号への拒否を解除することにより、無線キー５からの信号の受信を有効化するようにしてもよい。
【００３５】
警報部２２は、制御部１１からの制御信号に応じて、ブザー又はスピーカ等による警報音声の出力により車輌１外への警報を発するものである。また警報部２２による警報は音声出力に限るものではなく、警報用のランプ等を点灯又は点滅させて警報を行う構成としてもよく、車輌１のヘッドライト等を点灯又は点滅させて警報を行う構成としてもよく、液晶ディスプレイ等を車輌１に設けて警報メッセージを表示する構成としてもよく、その他の構成であってもよい。
【００３６】
図２は、無線キー５の構成を示すブロック図である。なお、メインキー５ａ及び予備キー５ｂの構成は略同じであるため、図２においてはこれらをまとめて無線キー５としてその構成を図示してある。無線キー５は、カード型又はキーホルダ型等のような可搬型であり、無線通信部５１、制御部５２及び記憶部５３等を備えて構成されている。無線通信部５１は、車輌１に搭載された車載無線通信装置１０の無線通信部１３との無線通信を行うものである。無線通信部５１は、内蔵されたアンテナ（図示は省略する）を介して車輌１からの無線信号を受信し、受信した無線信号に含まれるデータを制御部５２へ与える。また無線通信部５１は、制御部５２から与えられたデータを無線信号として車輌１へ送信する。
【００３７】
制御部５２は、無線キー５内の各部の動作の制御処理及び各種の演算処理を行うものである。制御部５２は、車輌１からの受信データを無線通信部５１から与えられた場合、受信データが車輌１のＩＤを含む応答要求データであるか、スリープ／スリープ解除命令を示す命令データであるかを判断する。受信データが応答要求データであると判断した場合、このデータに含まれる車輌１のＩＤと予め記憶部５３に記憶された車輌１のＩＤとが一致するか否かを判定し、車輌１のＩＤが一致した場合に、車輌１への応答を無線通信により行う。車輌１への応答の際に、制御部５２は、記憶部５３に予め記憶された自らのＩＤを読み出し、車輌１へ送信するデータにＩＤを含める。無線キー５からの無線信号を受信した車載無線通信装置１０は、無線信号に含まれるＩＤにより認証処理を行う。また、受信データが命令データであると判断した場合、制御部５２は、命令データに応じて、無線キー５をスリープ状態及び通常状態のいずれかに移行させる。スリープ状態では、無線キー５は、少なくとも送信機能が停止され、応答信号を外部へ送信することができない。
【００３８】
記憶部５３は、ＥＥＰＲＯＭ等のデータ書き換え可能な不揮発性のメモリ素子を用いて構成されている。記憶部５３には、自らのＩＤと、通信相手となる車輌１のＩＤとが予め識別情報５４として記憶されている。なお、メインキー５ａ及び予備キー５ｂは、識別情報５４として記憶される自らのＩＤが異なるのみであり、その他の構成は略同じである。
【００３９】
車載無線通信装置１０の制御部１１は、施錠指示受信部１５が信号を受信した場合に、無線通信部１３によるメインキー５ａとの車輌１外の通信を行い、メインキー５ａから受信した情報に基づく認証処理に成功した場合に、ＩＧスイッチからの信号に基づいて、エンジンが停止しているか否かを判定する。車輌１のエンジンが停止している、又は、車輌１のエンジンが停止しておらず、かつ施錠指示受信部１５が受信した信号が所定信号である場合、無線通信部１３による予備キー５ｂとの車輌１内の通信を行う。ここで、所定信号は、例えば施錠スイッチに対する長押し又は２回押し等、予め定められた操作に応じる信号である。車輌１内に予備キー５ｂが存在する場合、制御部１１は、例えば、無効化部２０による予備キー５ｂの一部の機能の無効化を行い、予備キー５ｂが無効化されたことに係る無効化情報を記憶部１２に記憶し、施錠／解錠制御部１７に各ドア（又は全ドア）の施錠を指示する。また、車輌１のエンジンが停止しておらず、かつ施錠指示受信部１５が受信した信号が所定信号ではない場合、制御部１１は、無効化部２０による無効化処理を行わず、施錠／解錠制御部１７に各ドア（又は全ドア）の施錠を指示する。
【００４０】
また、車載無線通信装置１０の制御部１１は、解錠指示受信部１６が信号を受信した場合に、無線通信部１３によるメインキー５ａとの車輌１外の通信を行い、メインキー５ａから受信した情報に基づく認証処理に成功した場合に、施錠／解錠制御部１７に各ドア（又は全ドア）の解錠を指示する。記憶部１２に無効化情報が記憶されている場合、制御部１１は、例えば、有効化部２１による予備キー５ｂの有効化を行い、記憶部１２に記憶されている無効化情報を削除する。
【００４１】
同様に車載無線通信装置１０の制御部１１は、始動指示受信部１８が信号を受信した場合に、無線キー５との無線通信及び認証処理を行い、認証処理に成功した場合に、エンジン始動制御部１９にエンジン始動を指示する。記憶部１２に無効化情報が記憶されている場合、制御部１１は、例えば、有効化部２１による予備キー５ｂの有効化を行い、記憶部１２に記憶されている無効化情報を削除する。
【００４２】
図３はメインキー５ａを利用したドアの施錠時の無効化に係る制御処理の手順を示すフローチャートであり、車載無線通信装置１０の制御部１１が行う処理である。車載無線通信装置１０の制御部１１は、ドア状態信号受信部１４により車輌１の全てのドアが閉状態であると検知された場合、処理を開始する。
【００４３】
制御部１１は、施錠指示受信部１５がドアの施錠指示に係る信号を受信したか否かを判定し（ステップＳ１）、ドアの施錠指示に係る信号を受信していない場合には（ステップＳ１：ＮＯ）、施錠指示受信部１５がドアの施錠指示に係る信号を受信するまで待機する。
【００４４】
ドアの施錠指示に係る信号を受信した場合（ステップＳ１：ＹＥＳ）、制御部１１は、無線通信部１３にてメインキー５ａとの車輌１外の無線通信を行う（ステップＳ２）。無線通信部１３が受信した無線信号に応じて、制御部１１は、メインキー５ａが車輌１外に存在するか否かを判定する（ステップＳ３）。
【００４５】
メインキー５ａが車輌１外に存在する場合（ステップＳ３：ＹＥＳ）、制御部１１は、メインキー５ａとの無線通信により得られた認証情報に基づいて認証処理を行い（ステップＳ４）、認証処理に成功したか否かを判定する（ステップＳ５）。認証処理に成功した場合（ステップＳ５：ＹＥＳ）、制御部１１は、車輌１のＩＧスイッチ３１がオフ状態であるか否かを判定する（ステップＳ６）。
【００４６】
ＩＧスイッチ３１がオフ状態の場合（Ｓ６：ＹＥＳ）、制御部１１は、無線通信部１３にて予備キー５ｂとの車輌１内の無線通信を行う（ステップＳ７）。ＩＧスイッチ３１がオン状態の場合（ステップＳ６：ＮＯ）、制御部１１は、施錠指示受信部１５が受信した信号が所定信号であるか否かを判定する（ステップＳ８）。所定信号である場合（ステップＳ８：ＹＥＳ）、制御部１１は、処理をステップＳ７に移行する。
【００４７】
次いで、制御部１１は、無線通信部１３が受信した無線信号に応じて、予備キー５ｂが車輌１内に存在するか否かを判定し（ステップＳ９）、予備キー５ｂが車輌１内に存在する場合（ステップＳ９：ＹＥＳ）、施錠／解錠制御部１７に施錠制御の実行を指示する制御信号を送信し（ステップＳ１０）、無効化部２０にて予備キー５ｂの一部の機能を無効化する（ステップＳ１１）。次いで、予備キー５ｂが無効化されたことに係る無効化情報を記憶部１２に記憶し（ステップＳ１２）、処理を終了する。
【００４８】
施錠指示受信部１５が受信した信号が所定信号ではない場合（ステップＳ８：ＮＯ）、制御部１１は警報部２２に警報の実行を指示する制御信号を送信し（ステップＳ１３）、処理を終了する。制御部１１は処理を終了する。
【００４９】
また、メインキー５ａが車輌１外に存在しない場合（ステップＳ３：ＮＯ）、認証処理に成功しない場合（ステップＳ５：ＮＯ）、及び予備キー５ｂが車輌１内に存在しない場合（ステップＳ９：ＮＯ）、制御部１１は処理を終了する。
【００５０】
図４は、メインキー５ａを利用したドアの解錠時の有効化に係る制御処理の手順を示すフローチャートであり、車載無線通信装置１０の制御部１１が行う処理である。制御部１１は、車輌１のドアが施錠されている場合、処理を開始する。
【００５１】
制御部１１は、解錠指示受信部１６がドアの解錠指示に係る信号を受信したか否かを判定し（ステップＳ２１）、ドアの解錠指示に係る信号を受信していない場合には（ステップＳ２１：ＮＯ）、ドアの解錠指示に係る信号を受信するまで待機する。
【００５２】
ドアの解錠指示に係る信号を受信した場合（ステップＳ２１：ＹＥＳ）、制御部１１は、無線通信部１３にてメインキー５ａとの車輌１外の無線通信を行う（ステップＳ２２）。無線通信部１３が受信した無線信号に応じて、制御部１１は、メインキー５ａが車輌１外に存在するか否かを判定する（ステップＳ２３）。
【００５３】
メインキー５ａが車輌１外に存在する場合（ステップＳ２３：ＹＥＳ）、制御部１１は、メインキー５ａとの無線通信により得られた認証情報に基づいて認証処理を行い（ステップＳ２４）、認証処理に成功したか否かを判定する（ステップＳ２５）。認証処理に成功した場合（ステップＳ２５：ＹＥＳ）、制御部１１は、施錠／解錠制御部１７に解錠制御の実行を指示する制御信号を送信する（ステップＳ２６）。
【００５４】
次いで、制御部１１は、記憶部１２に無効化情報が記憶されているか否かを判定する（ステップＳ２７）。記憶部１２に無効化情報が記憶されている場合（ステップＳ２７：ＹＥＳ）、有効化部２１にて当該無効化情報に基づいて無効された予備キー５ｂを有効化し（ステップＳ２８）、記憶部１２に記憶されている無効化情報を削除し（ステップＳ２９）、処理を終了する。
【００５５】
メインキー５ａが車輌１外に存在しない場合（ステップＳ２３：ＮＯ）、認証処理に成功しない場合（ステップＳ２５：ＮＯ）、及び記憶部１２に無効化情報が記憶されていない場合（ステップＳ２７：ＮＯ）、制御部１１は処理を終了する。
【００５６】
（実施の形態２）
実施の形態１では、無効された予備キー５ｂをドアの解錠時に有効化する例について説明したが、実施の形態２では、無効された予備キー５ｂをエンジンの始動時に有効化する例について説明する。図５は、メインキー５ａを利用したエンジン始動時の有効化に係る制御処理の手順を示すフローチャートであり、車載無線通信装置１０の制御部１１が行う処理である。制御部１１は、車輌１のＩＧスイッチ３１がオフ状態になった場合、処理を開始する。
【００５７】
制御部１１は、始動指示受信部１８がエンジンの始動指示に係る信号を受信したか否かを判定し（ステップＳ３１）、エンジンの始動指示に係る信号を受信していない場合には（ステップＳ３１：ＮＯ）、エンジンの始動指示に係る信号を受信するまで待機する。
【００５８】
エンジンの始動指示に係る信号を受信した場合（ステップＳ３１：ＹＥＳ）、制御部１１は、無線通信部１３にてメインキー５ａとの車輌１内の無線通信を行う（ステップＳ３２）。無線通信部１３が受信した無線信号に応じて、制御部１１は、メインキー５ａが車輌１内に存在するか否かを判定する（ステップＳ３３）。
【００５９】
メインキー５ａが車輌１内に存在する場合（ステップＳ３３：ＹＥＳ）、制御部１１は、メインキー５ａとの無線通信により得られた認証情報に基づいて認証処理を行い（ステップＳ３４）、認証処理に成功したか否かを判定する（ステップＳ３５）。認証処理に成功した場合（ステップＳ３５：ＹＥＳ）、制御部１１は、エンジン始動制御部１９にエンジンの始動制御の実行を指示する制御信号を送信する(ステップＳ３６)。
【００６０】
次いで、制御部１１は、記憶部１２に無効化情報が記憶されているか否かを判定する（ステップＳ３７）。記憶部１２に無効化情報が記憶されている場合（ステップＳ３７：ＹＥＳ）、有効化部２１にて当該無効化情報に基づいて無効された予備キー５ｂを有効化し（ステップＳ３８）、記憶部１２に記憶されている無効化情報を削除し（ステップＳ３９）、処理を終了する。
【００６１】
メインキー５ａが車輌１内に存在しない場合（ステップＳ３３：ＮＯ）、認証処理に成功しない場合（ステップＳ３５：ＮＯ）、及び記憶部１２に無効化情報が記憶されていない場合（ステップＳ３７：ＮＯ）、制御部１１は処理を終了する。
【００６２】
以上の構成の車載無線通信装置１０においては、車輌１のドアが施錠されている状態で車輌１内に存在する予備キー５ｂの一部の機能を一時的に停止することにより、メインキー５ａ及び予備キー５ｂを利用し、予備キー５ｂを車輌１内に置いておく場合でも、ドアの施錠を行うことができるため、使用の利便性を向上させることができる。
【００６３】
また、施錠した後、車輌１内に存在する予備キー５ｂでは、車輌１は動作しないため、仮に不審者が車輌１内に侵入したとしても、車輌１内に置いておく予備キー５ｂを使ってエンジンを始動することができない。このため、防犯性を確保することができる。
さらに、無効化された予備キー５ｂをエンジンの始動時に有効化することにより、防犯性を一層に確保することができる。
【００６４】
上述の実施の形態においては、無線キー５がメインキー５ａ及び予備キー５ｂを含む場合について説明したが、車輌１に複数の無線キー５が付属しており、ユーザがいずれかの無線キー５を予備キー５ｂとして車輌１内に置いておくようにしてもよい。例えば最後に車輌１のドアの施錠に使用された無線キー５をメインキー５ａとして扱い、その他の無線キー５を予備キー５ｂとして扱う構成とすることができる。この場合、制御部１１は、無線キー５との無線通信に応じてドアの施錠を行う際に、使用された無線キー５のＩＤを記憶しておき、以後はＩＤを記憶した無線キー５をメインキー５ａとして図３〜図５に示した処理を行えばよい。
【００６５】
上述の実施の形態においては、施錠指示受信部１５及び解錠指示受信部１６が受信する信号について、施錠スイッチ及び解錠スイッチに対する操作に応じる信号を例として説明したが、これに限らず、キーレス施錠／解錠操作に応じる信号であってもよい。
【００６６】
上述の実施の形態においては、施錠指示受信部１５、解錠指示受信部１６、及び始動指示受信部１８が別個に設けられているが、共通化されてもよい。
【００６７】
また、上述の実施の形態においては、車輌１の原動機がエンジンである例について説明したが、車輌１の原動機はモーターであってもよい。この場合は、エンジン始動の制御に替えてモーター始動の制御を行えばよい。
【００６８】
また、上述の実施の形態においては、無効化処理及び有効化処理について、予備キー５ｂの一部の機能を無効化する処理及び無効化された予備キー５ｂの一部の機能を有効化する処理を例として説明したが、これに限らず、予備キー５ｂからの信号の受信を無効化する処理及び無効化された予備キー５ｂからの信号の受信を有効化する処理であってもよい。
【００６９】
また、上述の図３のフローチャートに示した手順では、ステップＳ１０〜Ｓ１２を順次行う構成とした。しかしながら、本発明はこれに限らず、無効化処理（ステップＳ１１）、無効化情報を記憶する処理（ステップＳ１２）、施錠制御の実行を指示する処理（ステップＳ１０）をこの順で行う構成としてもよい。
【００７０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７１】
１  車輌
１０  車載無線通信装置
１１  制御部（検知手段、判定手段）
１２  記憶部
１３  無線通信部（無線通信手段）
１４  ドア状態信号受信部
１５  施錠指示受信部（施錠指示受信手段）
１６  解錠指示受信部（解錠指示受信手段）
１７  施錠／解錠制御部
１８  始動指示受信部（始動指示受信手段）
１９  エンジン始動制御部
２０  無効化部（無効化手段）
２１  有効化部（有効化手段）
２２  警報部
５  無線キー（通信機）
５ａ  メインキー（通信機）
５ｂ  予備キー（通信機）
５１  無線通信部
５２  制御部
５３  記憶部
【図１】
2015101914.tif 000003
【図２】
2015101914.tif 000004
【図３】
2015101914.tif 000005
【図４】
2015101914.tif 000006
【図５】
2015101914.tif 000007